(57)【要約】【課題】室内空間において、人体に影響する因子物質や人体から発生する因子物質を捕捉し、室内空間環境を効率的に監視する。【解決手段】空気清浄装置として、空気流通路３が形成される清浄装置本体２と、この清浄装置本体２の空気流通路３に空気Ａを引き込む吸引手段４と、空気流通路３に引き込まれた空気Ａに対して清浄処理を施す清浄部材５と、空気流通路３に引き込まれた空気Ａのうち清浄部材５にて清浄処理される前の空気Ａが通過する領域に設けられ、当該清浄処理前の空気Ａに含まれて人体に影響するガス状又は浮遊粒子状の因子物質が少なくとも許容範囲外に至る前段階から監視可能に捕捉される捕捉部材６、あるいは、清浄処理前の空気Ａに含まれて人体から発生するガス状又は浮遊粒子状の因子物質が監視可能に捕捉される捕捉部材６とを備える。また、これを用いた空気清浄監視システムも対象とする。【選択図】図１
2010266077.tif 000002
【特許請求の範囲】
【請求項１】
室内空間に設置されて室内の空気を清浄する空気清浄装置であって、
空気流通路が形成される清浄装置本体と、
この清浄装置本体の空気流通路に空気を引き込む吸引手段と、
前記空気流通路に引き込まれた空気に対して清浄処理を施す清浄部材と、
前記空気流通路に引き込まれた空気のうち清浄部材にて清浄処理される前の空気が通過する領域に設けられ、当該清浄処理前の空気に含まれて人体に影響するガス状又は浮遊粒子状の因子物質が少なくとも許容範囲外に至る前段階から監視可能に捕捉される捕捉部材とを備えることを特徴とする空気清浄装置。
【請求項２】
室内空間に設置されて室内の空気を清浄する空気清浄装置であって、
空気流通路が形成される清浄装置本体と、
この清浄装置本体の空気流通路に空気を引き込む吸引手段と、
前記空気流通路に引き込まれた空気に対して清浄処理を施す清浄部材と、
前記空気流通路に引き込まれた空気のうち清浄部材にて清浄処理される前の空気が通過する領域に設けられ、当該清浄処理前の空気に含まれて人体から発生するガス状又は浮遊粒子状の因子物質が監視可能に捕捉される捕捉部材とを備えることを特徴とする空気清浄装置。
【請求項３】
請求項１又は２記載の空気清浄装置において、
捕捉部材は、ガス状又は浮遊粒子状の因子物質を検出するセンサであることを特徴とする空気清浄装置。
【請求項４】
請求項１記載の空気清浄装置において、
捕捉部材は、清浄装置本体に取り外し自在に設けられてガス状又は浮遊粒子状の因子物質を累積的に捕集する捕集部材であることを特徴とする空気清浄装置。
【請求項５】
請求項１ないし４いずれかに記載の空気清浄装置と、
この空気清浄装置の捕捉部材にて捕捉した因子物質情報を管理し、管理した因子物質情報がどのような状態であるかを監視する情報監視装置とを備えたことを特徴とする空気清浄監視システム。
【請求項６】
請求項５記載の空気清浄監視システムのうち、捕捉部材がガス状又は浮遊粒子状の因子物質を検出するセンサである態様において、
情報監視装置は、捕捉部材であるセンサからの検出情報を通信可能に取り込んで管理し、管理した検出情報に基づいて因子物質を定性、定量するものであることを特徴とする空気清浄監視システム。
【請求項７】
請求項５記載の空気清浄監視システムのうち、捕捉部材が清浄装置本体に取り外し自在に設けられてガス状又は浮遊粒子状の因子物質を累積的に捕集する捕集部材である態様において、
情報監視装置は、空気清浄装置から捕捉部材である捕集部材を取り外し、離脱した捕集部材に捕集されている因子物質を定性、定量するものであることを特徴とする空気清浄監視システム。
【請求項８】
請求項１ないし４いずれかに記載の空気清浄装置と、
この空気清浄装置の捕捉部材にて捕捉した因子物質情報を管理し、管理した因子物質情報がどのような状態であるかを監視する情報監視装置と、
この情報監視装置による監視情報に基づいて室内空間の空気清浄状態を改善することを要するか否かを判別する改善要否判別装置とを備えたことを特徴とする空気清浄監視システム。
【請求項９】
請求項８記載の空気清浄監視システムにおいて、
室内空間に設けられ、前記改善要否判別装置が室内空間の空気清浄状態を改善することを要すると判別したときに室内空間の空気清浄状態を改善すべく強制的に作動させる空気清浄改善装置を備えていることを特徴とする空気清浄監視システム。
【請求項１０】
請求項８又は９記載の空気清浄監視システムにおいて、
情報監視装置は捕捉部材にて捕捉した因子物質情報として因子物質濃度情報を監視し、
改善要否判別装置は、情報監視装置からの因子物質濃度情報を予め決められた演算式に算入することにより単位時間当たりの因子物質発生量の変化を算出し、この因子物質発生量の変化をもって、室内空間の空気清浄状態の程度を判定すると共に室内空間の空気清浄状態を改善するか否かを決定することを特徴とする空気清浄監視システム。
【請求項１１】
請求項８又は９記載の空気清浄監視システムにおいて、
改善要否判別装置は情報監視装置からの監視情報に基づいて室内空間の空気清浄状態の改善の要否に加えて、改善対象物の特性をも事前判別するものであることを特徴とする空気清浄監視システム。
【発明の詳細な説明】
【技術分野】
【０００１】
本発明は、室内空間内に設置される空気清浄装置に係り、特に、室内空間環境を監視する上で有効な空気清浄装置及びこれを用いた空気清浄監視システムに関する。
【背景技術】
【０００２】
従来における空気清浄監視システムとしては、例えば特許文献１〜４記載の技術が知られている。
特許文献１は、室内の粉塵を清浄する空気清浄機からの情報を、監視センタにて監視する技術である。
特許文献２は、サーミスタによる温度検知情報からガスバーナの不完全燃焼を監視する技術である。
特許文献３は、火災情報を監視するシステムである。
特許文献４は、クリーンルームでケミカル汚染物質の除去度合を監視するシステムである。
【先行技術文献】
【特許文献】
【０００３】
【特許文献１】特開２００８−８２６６１号公報（発明を実施するための最良の形態，図１）
【特許文献２】特開２００５−４９０７７号公報（発明を実施するための最良の形態，図２）
【特許文献３】特開２００４−３１７１０３号公報（発明の実施の形態，図６）
【特許文献４】特開２００４−２６３９８５号公報（実施例，図１）
【発明の概要】
【発明が解決しようとする課題】
【０００４】
この種の空気清浄監視システム（例えば特許文献１〜４）は、室内の粉塵情報、ガスバーナの不完全燃焼を判別するためのサーミスタの温度情報、火災情報、あるいは、クリーンルームでの汚染情報などを監視対象とし、いずれも、許容範囲外に至ったか否かを監視するものである。尚、防犯情報を監視する防犯システムや、温度、湿度等の不快情報については空気調和装置によって自動制御するシステムも公知である。
しかしながら、室内空間環境として要請されることは、監視対象が許容範囲外に至ったか否かだけに限られない。
例えば都市ガス、プロパンガス等が室内に漏れることにより、中毒、火災、爆発等の事故が生ずる。そのため、ガス漏れ防止の対策を施すことが必要になる。一般には、台所にガス漏れ検知器を設置している場合が多い。このガス漏れ検知器は、都市ガス使用の場合には天井面付近に、プロパンガス、ＬＰガス使用の場合には床面付近に設置される。いずれの場合にも、検知された場合にガス漏れ検知器が鳴動するものである。
この種のガス漏れを引き起こす主たる原因としては、１）ガスコンロ、湯沸かし器の立ち消え、２）器具の劣化などが挙げられる。
ここで、１）の場合には一気にガス漏れが起こり、室内ガス濃度は急激に上昇するが、２）の場合には、室内ガス濃度は徐々に上昇する傾向にある。
前述したガス漏れ検知器は、主として１）の場合を想定したものであり、室内ガス濃度の急激な上昇により初めて機能を発揮するが、２）の場合には危険な状況（許容範囲外に至る状況）になるまでは検知することはできない。
このため、例えばガス漏れについては、２）の場合のように、ガス漏れが徐々に上昇するような状況を迅速に突き止め、ガス漏れ事故等を未然に防止するための対策が強く要請されている。
【０００５】
このような要請は、上述したガス漏れに限られるものではなく、例えば燃焼器具の不完全燃焼に伴う排ガスの漏気現象に対しても同様である。
つまり、近年、室内で使用されるガス・石油燃焼器具の燃焼排ガスが室内に漏気し、一酸化炭素中毒等の問題を引き起こす事例が頻繁に起きている。この種の燃焼器具は、密閉型、開放型などに大別されるが、密閉型は煙突を経由して排ガスを室外に排出するのに対し、開放型は排ガスを室内に直接排出する。前者では、煙突内の空気が室内に漏気しないことが重要であり、後者では燃焼器具の劣化や室内酸素濃度の低下、あるいは、両者の相乗作用に伴う一酸化炭素や各種ＶＯＣ等の発生に留意しなければならない。いずれの場合にも、一回限りの現象が重大な事故につながることは希で、燃焼器具使用時間の増大に伴う器具劣化により、例えば中毒事故のように、重大な室内空気汚染が引き起こされる。
すなわち、不完全燃焼による事故を未然に防止するための対策も強く要請されている。
【０００６】
更に、近年では、室内化学物質汚染により引き起こされる健康被害が相次ぎ、シックハウス問題が社会問題として表面化してきている。
この種のシックハウス問題は、室内空間を仕切る建材類や家具類から発生するホルムアルデヒド等のＶＯＣ（Volatile Organic Compounds）のような有害なガス状化学物質が要因になっているが、居住者が気づかずに、原因がわからないまま健康被害に至るケースが多い。
そこで、このようなシックハウス問題の対策として、室内空間内にＶＯＣ等の汚染物質がどの程度存在するかを監視し、室内空間での汚染物質濃度の上昇について早期に把握したいという要請も強くなりつつある。
更にまた、室内空間にはペットが飼われたり、観賞用植物が置かれたりすることが多いが、これに伴って、室内空間に微生物粒子（ダニ、カビ、花粉、細菌、ウイルスなど）が不必要に舞い込むことも多く、これがアレルゲンや病原体となって健康被害を引き起こすケースもある。
このような状況下においても、微生物粒子による健康被害を未然に防止するという観点から、室内空間環境の状態を監視し、微生物粒子の存在状況を早期に把握したいという要請もある。
【０００７】
また、呼気、体臭等人体から発生するガス状物質は、人の健康状態に応じた発生ガスとその組成などの化学的情報が含まれている。このような背景から、室内空間環境における居住者の健康状態を把握し、重大な健康被害に至る前に早期に対応したいという要請も強くなりつつある。
【０００８】
本発明は、上述した背景技術に鑑みてなされたものであって、室内空間において、人体に影響する因子物質や人体から発生する因子物質を捕捉し、室内空間環境を効率的に監視することを可能にする空気清浄装置及びこれを用いた空気清浄監視システムを提供するものである。
【課題を解決するための手段】
【０００９】
請求項１に係る発明は、室内空間に設置されて室内の空気を清浄する空気清浄装置であって、空気流通路が形成される清浄装置本体と、この清浄装置本体の空気流通路に空気を引き込む吸引手段と、前記空気流通路に引き込まれた空気に対して清浄処理を施す清浄部材と、前記空気流通路に引き込まれた空気のうち清浄部材にて清浄処理される前の空気が通過する領域に設けられ、当該清浄処理前の空気に含まれて人体に影響するガス状又は浮遊粒子状の因子物質が少なくとも許容範囲外に至る前段階から監視可能に捕捉される捕捉部材とを備えることを特徴とする空気清浄装置である。
請求項２に係る発明は、室内空間に設置されて室内の空気を清浄する空気清浄装置であって、空気流通路が形成される清浄装置本体と、この清浄装置本体の空気流通路に空気を引き込む吸引手段と、前記空気流通路に引き込まれた空気に対して清浄処理を施す清浄部材と、前記空気流通路に引き込まれた空気のうち清浄部材にて清浄処理される前の空気が通過する領域に設けられ、当該清浄処理前の空気に含まれて人体から発生するガス状又は浮遊粒子状の因子物質が監視可能に捕捉される捕捉部材とを備えることを特徴とする空気清浄装置である。
請求項３に係る発明は、請求項１又は２に係る空気清浄装置において、捕捉部材は、ガス状又は浮遊粒子状の因子物質を検出するセンサであることを特徴とする空気清浄装置である。
請求項４に係る発明は、請求項１に係る空気清浄装置において、捕捉部材は、清浄装置本体に取り外し自在に設けられてガス状又は浮遊粒子状の因子物質を累積的に捕集する捕集部材であることを特徴とする空気清浄装置である。
【００１０】
請求項５に係る発明は、請求項１ないし４いずれかに係る空気清浄装置と、この空気清浄装置の捕捉部材にて捕捉した因子物質情報を管理し、管理した因子物質情報がどのような状態であるかを監視する情報監視装置とを備えたことを特徴とする空気清浄監視システムである。
請求項６に係る発明は、請求項５に係る空気清浄監視システムのうち、捕捉部材がガス状又は浮遊粒子状の因子物質を検出するセンサである態様において、情報監視装置は、捕捉部材であるセンサからの検出情報を通信可能に取り込んで管理し、管理した検出情報に基づいて因子物質を定性、定量するものであることを特徴とする空気清浄監視システムである。
請求項７に係る発明は、請求項５に係る空気清浄監視システムのうち、捕捉部材が清浄装置本体に取り外し自在に設けられてガス状又は浮遊粒子状の因子物質を累積的に捕集する捕集部材である態様において、情報監視装置は、空気清浄装置から捕捉部材である捕集部材を取り外し、離脱した捕集部材に捕集されている因子物質を定性、定量するものであることを特徴とする空気清浄監視システムである。
請求項８に係る発明は、請求項１ないし４いずれかに係る空気清浄装置と、この空気清浄装置の捕捉部材にて捕捉した因子物質情報を管理し、管理した因子物質情報がどのような状態であるかを監視する情報監視装置と、この情報監視装置による監視情報に基づいて室内空間の空気清浄状態を改善することを要するか否かを判別する改善要否判別装置とを備えたことを特徴とする空気清浄監視システムである。
請求項９に係る発明は、請求項８に係る空気清浄監視システムにおいて、室内空間に設けられ、前記改善要否判別装置が室内空間の空気清浄状態を改善することを要すると判別したときに室内空間の空気清浄状態を改善すべく強制的に作動させる空気清浄改善装置を備えていることを特徴とする空気清浄監視システムである。
請求項１０に係る発明は、請求項８又は９に係る空気清浄監視システムにおいて、情報監視装置は捕捉部材にて捕捉した因子物質情報として因子物質濃度情報を監視し、改善要否判別装置は、情報監視装置からの因子物質濃度情報を予め決められた演算式に算入することにより単位時間当たりの因子物質発生量の変化を算出し、この因子物質発生量の変化をもって、室内空間の空気清浄状態の程度を判定すると共に室内空間の空気清浄状態を改善するか否かを決定することを特徴とする空気清浄監視システムである。
請求項１１に係る発明は、請求項８又は９に係る空気清浄監視システムにおいて、改善要否判別装置は情報監視装置からの監視情報に基づいて室内空間の空気清浄状態の改善の要否に加えて、改善対象物の種類をも事前判別するものであることを特徴とする空気清浄監視システムである。
【発明の効果】
【００１１】
請求項１に係る発明によれば、空気清浄性能に加えて、監視対象となる室内空間にて人体に影響する因子物質情報を正確に把握することができる。
請求項２に係る発明によれば、空気清浄性能に加えて、監視対象となる室内空間にて人体から発生する因子物質情報を正確に把握することができる。
請求項３に係る発明によれば、室内空間の因子物質情報の変化をリアルタイムにて把握することができる。
請求項４に係る発明によれば、室内空間の因子物質情報の累積的変化を効率的に把握することができる。
請求項５に係る発明によれば、空気清浄性能に加えて、監視対象となる室内空間にて人体に影響する因子物質情報、あるいは、人体から発生する因子物質情報を正確に把握することができ、これらの因子物質情報を管理することで、室内空間の空気の清浄状態を監視する空気清浄監視システムを簡単に構築することができる。
請求項６に係る発明によれば、監視対象となる室内空間の因子物質情報を集中管理することができる。
請求項７に係る発明によれば、監視対象となる室内空間の因子物質を長期にわたり累積的に採取することができる。
請求項８に係る発明によれば、室内空間の空気清浄状態の改善の要否を迅速に判別することができる。
請求項９に係る発明によれば、室内空間の空気清浄状態を迅速に改善し、人の健康予防や有害ガスによる中毒事故などを未然に防止することができる。
請求項１０に係る発明によれば、室内空間での因子物質各種発生源（燃焼器具などの器具、人体、建物、家具、日用品など）における因子物質発生量の変化を簡単に把握でき、各種発生源の固有の因子物質発生量の変化を基に室内空間の空気清浄状態の程度を判定することができる。そのため、室内空間の空気清浄状態を迅速に改善し、人の健康予防や有害ガスによる中毒事故などを未然に防止することができる。
請求項１１に係る発明によれば、改善対象物を事前に特定し、室内空間の空気清浄状態を迅速に改善することができる。
【図面の簡単な説明】
【００１２】
【図１】（ａ）は本発明が適用された空気清浄監視システムの実施の形態の概要を示す説明図、（ｂ）は（ａ）の空気清浄監視システムで用いられる空気清浄装置の一例を示す説明図、（ｃ）は（ａ）の空気清浄監視システムで用いられる空気清浄装置の他の例を示す説明図である。
【図２】実施の形態１に係る空気清浄監視システムの全体構成を示す説明図である。
【図３】実施の形態１で用いられる空気清浄装置の一例を示す説明図である。
【図４】（ａ）は実施の形態１で用いられるガス漏れ情報又は燃焼情報としてのガス発生量の算出法原理を示す説明図、（ｂ）はその演算式の一例を示す説明図である。
【図５】（ａ）は実施の形態１で用いられる空気清浄装置の他の例を示す説明図、（ｂ）は（ａ）で用いられる捕集部材の他の例を示す説明図である。
【図６】実施の形態２に係る空気清浄監視システムの全体構成を示す説明図である。
【図７】（ａ）（ｂ）は実施の形態２で用いられる空気清浄装置の夫々別の例を示す説明図である。
【図８】（ａ）（ｂ）は管理センタで用いられる捕集物質分析装置の夫々別の例を示す説明図である。
【図９】実施の形態３に係る空気清浄監視システムの全体構成を示す説明図である。
【図１０】実施の形態４に係る空気清浄監視システムの全体構成を示す説明図である。
【図１１】実施の形態５に係る空気清浄監視システムの全体構成を示す説明図である。
【図１２】実施の形態５で用いられるフィルタ再生法事前判別の手法を示す説明図である。
【図１３】実施の形態６に係る空気清浄監視システムの全体構成を示す説明図である。
【図１４】実施の形態７に係る空気清浄監視システムの全体構成を示す説明図である。
【図１５】（ａ）（ｂ）は実施の形態８に係る空気清浄監視システムで用いられる空気清浄装置の夫々別の例を示す説明図である。
【発明を実施するための形態】
【００１３】
◎実施の形態の概要
図１（ａ）において、空気清浄監視システムは、室内空間Ｒに設置されて室内の空気を清浄する空気清浄装置１と、この空気清浄装置１の捕捉部材６（図１（ｂ）（ｃ）参照）にて捕捉した因子物質情報を管理し、管理した因子物質情報がどのような状態であるかを監視する情報監視装置１０とを備えたものである。
本実施の形態において、空気清浄装置１は、図１（ｂ）（ｃ）に示すように、空気流通路３が形成される清浄装置本体２と、この清浄装置本体２の空気流通路３に空気Ａを引き込む吸引手段４と、前記空気流通路３に引き込まれた空気Ａに対して清浄処理を施す清浄部材５と、前記空気流通路３に引き込まれた空気Ａのうち清浄部材５にて清浄処理される前の空気Ａが通過する領域に設けられ、当該清浄処理前の空気Ａに含まれて人体に影響するガス状又は浮遊粒子状の因子物質が少なくとも許容範囲外に至る前段階から監視可能に捕捉される捕捉部材６とを備える。
また、人体の健康を監視する上で有効な空気清浄装置１としては、図１（ｂ）（ｃ）に示すように、空気流通路３が形成される清浄装置本体２と、この清浄装置本体２の空気流通路３に空気Ａを引き込む吸引手段４と、前記空気流通路３に引き込まれた空気Ａに対して清浄処理を施す清浄部材５と、前記空気流通路３に引き込まれた空気Ａのうち清浄部材５にて清浄処理される前の空気Ａが通過する領域に設けられ、当該清浄処理前の空気Ａに含まれて人体から発生するガス状又は浮遊粒子状の因子物質が監視可能に捕捉される捕捉部材６とを備えるものが挙げられる。
尚、図１（ａ）において、室内空間Ｒは例えば建材類１６にて仕切られ、室内空間Ｒには居住者となる人Ｍが存在し、空気清浄装置１以外に例えば燃焼器具１５、家具類１７などが設置されている。また、図１（ｂ）（ｃ）において、符号３ａは空気流通路３の入口、３ｂは空気流通路３の出口を示す。
【００１４】
このような技術的手段において、吸引手段４としては、清浄装置本体２の空気流通路３内に設置される態様は勿論、清浄装置本体２の空気流通路３に空気を吹き込む作用を奏するものであれば、清浄装置本体２外に設置された態様も含む。
また、清浄部材５としては、吸着法、触媒法、吸収法のいずれの方式を採用したものも含み、空気中に含まれる清浄すべき物質（有害化学物質、粉塵など）を除去するものを広く含む。
更に、人体に影響する因子物質としては、室内空間Ｒにて人体に影響するガス状又は浮遊粒子状の物質を広く含み、例えばガス漏れ因子物質、不完全燃焼因子物質、シックハウスにつながる因子物質（ＶＯＣなど）、ダニ、カビ、花粉、細菌、ウィルス等の微生物粒子がある。
一方、人体から発生するガス状因子には、呼気、体臭などの臭気がある。また、人体から発生する浮遊粒子状因子には、例えばくしゃみ、咳などに伴う微小滴に含まれるインフルエンザ等のウィルスや、花粉症などのアレルゲンがある。
更にまた、人体に影響する因子物質を捕捉する捕捉部材６として、‘因子物質が少なくとも許容範囲外に至る前段階から監視可能に捕捉される’とは、例えば許容範囲外となる有害レベルに至っているか否かを監視することは勿論であるが、有害レベルに至る前段階の状態も監視可能であることを意味するものである。このため、本態様では、因子物質が許容範囲外となる有害レベルに至る前の変化を把握でき、有害レベルに至る前に対策することが可能である。
一方、人体から発生する因子物質を捕捉する捕捉部材６としては、因子物質の種類と量およびその発生特性が重要であり、人の健康状態につながる因子物質がどのような状態であるか否かを監視できればよい。
また、情報監視装置１０による監視の仕方については、予め決められた基準値を超えているか否か、因子情報の変化パターンに異常があるか否かなど適宜選定して差し支えない。
【００１５】
更に、捕捉部材６の代表的態様としては、ガス状又は浮遊粒子状の因子物質を検出するセンサ６ａや、清浄装置本体２に取り外し自在に設けられてガス状又は浮遊粒子状の因子物質を累積的に捕集する捕集部材６ｂが挙げられる。ここで、捕集部材６ｂとしては、活性炭等で構成されるガス除去フィルタや、捕集管などが挙げられる。
また、情報監視装置１０の代表的態様としては、例えば捕捉部材６がガス状又は浮遊粒子状の因子物質を検出するセンサ６ａである態様においては、捕捉部材６であるセンサ６ａからの検出情報を通信可能に取り込んで管理し、管理した検出情報に基づいて因子物質を定性、定量するものが挙げられる。一方、捕捉部材６が清浄装置本体２に取り外し自在に設けられてガス状又は浮遊粒子状の因子物質を累積的に捕集する捕集部材６ｂである態様においては、情報監視装置１０は、空気清浄装置１から捕捉部材６である捕集部材６ｂを取り外し、離脱した捕集部材６ｂに捕集されている因子物質を定性、定量するものが挙げられる。
【００１６】
また、空気清浄監視システムの好ましい態様としては、上述した空気清浄装置１と、情報監視装置１０とに加えて、図１（ａ）に示すように、情報監視装置１０による監視情報に基づいて室内空間Ｒの空気清浄状態を改善することを要するか否かを判別する改善要否判別装置１１を備えたものが挙げられる。
ここで、改善要否判別装置１１としては、例えば情報監視装置１０による監視情報をリアルタイム又はメディアを介して受け付け、予め定めた基準レベルを超えた場合に改善を要すると判別する等適宜選定して差し支えない。この場合において、基準レベルは少なくとも１つあればよいが、改善の程度に応じて複数段階レベル設けるようにしてもよい。
更に、空気清浄監視システムの好ましい態様としては、室内空間Ｒに設けられ、前記改善要否判別装置１１が室内空間Ｒの空気清浄状態を改善することを要すると判別したときに室内空間の空気清浄状態を改善すべく強制的に作動させる空気清浄改善装置１２を備えている態様が挙げられる。
ここで、空気清浄改善装置１２としては、例えば室内空間Ｒの酸素不足を改善する場合に強制的に作動させる換気装置や、室内空間Ｒに必要な微量物質が不足した場合に作動させる微量物質補充装置や、清掃部材５としてのフィルタが寿命である場合にフィルタを交換するために作動させる空気清浄装置１の自動フィルタ交換装置などが挙げられる。
また、このような空気清浄監視システムにおいて、室内空間Ｒでの因子物質発生量を簡単に把握するという観点からすれば、情報監視装置１０は捕捉部材６にて捕捉した因子物質情報として因子物質濃度情報を監視し、改善要否判別装置１１は情報監視装置１０からの因子物質濃度情報を予め決められた演算式に算入することにより単位時間当たりの因子物質発生量の変化を算出し、この因子物質発生量の変化をもって、室内空間Ｒの空気清浄状態の程度を判定すると共に室内空間Ｒの空気清浄状態を改善するか否かを決定するようにすればよい。
ここで、室内空間Ｒの空気清浄状態の程度の判定基準は、因子物質発生源が何かによって夫々が決まる。つまり、室内における因子物質発生源としては、例えば室内に存在する人やペット等の生物からの発生物質、燃焼器具などの電子機械機器からの発生ガス、あるいは、建具類や家具類、日用品等のからの発生ガスなど各種あるが、対象とする因子物質発生源毎に予め決められたレベルを定めておき、そのレベルを超えるか否かで室内空間Ｒの空気清浄状態の程度を判定するようにすればよい。また、この種の判定情報は室内空間Ｒの空気清浄状態の改善の要否に利用されるが、因子物質発生源側や情報監視装置１０に通知するようにしてもよい。
更に、このような空気清浄監視システムにおいて、改善対象物（例えば空気清浄装置１の清浄部材５等）をどのようにすべきかを事前に特定するという観点からすれば、改善要否判別装置１１は情報監視装置１０からの監視情報に基づいて室内空間Ｒの空気清浄状態の改善の要否に加えて、改善対象物の特性をも事前判別するようにすればよい。
【００１７】
◎実施の形態１
図２は本発明が適用された空気清浄監視システムの実施の形態１の全体構成を示す。
同図において、空気清浄監視システムは、人Ｍが居住する室内空間Ｒに設置される空気清浄装置２０と、この空気清浄装置２０からのガス漏れ情報及び燃焼情報を管理する管理センタ１００とを備えている。尚、符号５０は室内空間Ｒ内に設置される燃焼器具である。
本実施の形態において、空気清浄装置２０は、図３に示すように、空気流通路２２が区画形成される清浄装置本体としてのエアダクト２１を有し、このエアダクト２１の入口開口２３に入口ルーバ２４を設けると共に、エアダクト２１の出口開口２５に出口ルーバ２６を設け、前記空気流通路２２には入口側から順に目の粗いプレフィルタ２７、細かな粉塵除去用の粒子除去フィルタ２８を配設し、更に、プレフィルタ２７と粒子除去フィルタ２８との間に空気流通路２２にエアＡが吸引される吸引ファン３０を配設したものである。
そして、空気流通路２２のうち粒子除去フィルタ２８の空気流通方向上流側にはセンサ４０が配設されており、このセンサ４０としては、前記ガス漏れ情報（例えば都市ガスやプロパンガス）及び燃焼情報（例えば不完全燃焼に伴う一酸化炭素）を検知するためのガスセンサ４１が用いられている。
ここで、ガスセンサ４１は、ガス漏れ情報、燃焼情報の両者を検知する構成の検知器でもよいし、夫々を個別に検知する構成の検知器でもよい。また、本実施の形態では、燃焼情報として一酸化炭素のガス濃度をガスセンサ４１（４０）にて検知しているが、例えば一酸化炭素中毒等の重大事故が起こる以前に、ＶＯＣ等のある種の有害ガスなどのガス発生が起こることがあるため、前記特定のガスを検知するための特定ガスセンサを用いることにより、一酸化炭素中毒等の重大事故を未然に防止するようにしてもよい。
【００１８】
また、本実施の形態において、管理センタ１００は、図３に示すように、前記空気清浄装置２０のガスセンサ４１からのガス漏れ情報、燃焼情報が通信可能に取り込まれる管理装置１１０を有し、この管理装置１１０で管理した検出情報に基づいて因子物質を定性、定量するようになっている。
より具体的には、管理装置１１０は、例えば図３に示すように、ガスセンサ４１にて検知されたガス漏れ情報又は燃焼情報（ガス濃度）を時系列にて記録管理し、例えば許容範囲内にて２つのレベル値Ｌ１、Ｌ２（Ｌ１＜Ｌ２）を予め設定しておき、ガス濃度がレベル値Ｌ１に到達した後レベル値Ｌ２に到達するまでの時間（ｔ２−ｔ１）が予め決められた時間よりも短い場合には、許容範囲内ではあるが、ガス漏れが生じている、あるいは、不完全燃焼が生じている可能性があると判断し得るようになっている。
そして、管理センタ１００は、図２に示すように、このようなガス漏れ情報又は燃焼情報をガス会社１２１又は燃焼器具メーカ１２２に情報提供し、情報提供を受けたガス会社１２１又は燃焼器具メーカ１２２は、情報提供されたガス漏れ情報又は燃焼情報（ガス濃度）を改善判別装置１３０に取り込み、この改善判別装置１３０にて前記ガス漏れ情報又は燃焼情報に基づいて室内空間Ｒの空気清浄状態を改善することを要するか否かを判別し、改善を要すると判断した場合に監視対象となる室内空間Ｒに設置されている燃焼器具５０についてメンテナンス作業を行う。
このように、管理センタ１００では集約的な情報収集を行い、問題あるいは危険な情報と判断された場合には、適切な対処法や改善策をとることが可能になる。
【００１９】
ここで、改善判別装置１３０は、ガス漏れ情報又は燃焼情報（ガス濃度）をそのまま用いて室内空間Ｒの空気清浄状態の改善の要否を判別しているが、これに限られるものではなく、燃焼器具５０等の機器毎に異なる機器固有のガス発生量を算出し、算出したガス発生量に基づいて、機器の状態を診断したり、室内空間Ｒの空気清浄状態の改善の要否を判別するようにしても差し支えない。
例えば燃焼器具５０が開放型である態様を室内空間Ｒで使用する場合、燃焼器具５０の劣化及び室内酸素濃度の低下に伴い、ＣＯ（一酸化炭素）、ＨＣ（炭化水素）、ホルムアルデヒドなどのＶＯＣ（揮発性有機化合物）のガス発生量は平常時に比較して増大する。このため、室内空間Ｒのガス濃度が上昇する。この異常な濃度上昇により、時としてＣＯ中毒などの重大事故が引き起こされる。
このため、このようなガス発生量に着目し、ガスセンサ４１（４０）からの検出信号を解析することにより監視対象である汚染物質のガス発生量を求める手法として以下の手法を見出したものである。
すなわち、図４（ａ）に示すように、ある限られた短時間（dt）における室内空間Ｒのガス濃度の上昇値（dＣ）により、その間のある汚染物質のガス発生量は図４（ｂ）に示す演算式にて求められる。
このように、図４（ｂ）に示す演算式を用いれば、ある限られた時間（dt）における微少な室内の濃度変化（dＣ）を測定することにより、その間の燃焼器具５０等の機器からのガス発生量を高精度で求めることができる。これにより、燃焼器具５０等の機器からの異常な汚染物質発生を検知することができる。
尚、図４（ｂ）に示す演算式は、後述する実施の形態のように、人体やペットからの発生物質や建具類や家具類などからの汚染物質などの因子物質の発生量を高精度に求めることができ、これにより、異常な因子物質発生を検知することができる。
【００２０】
◎変形形態
本実施の形態では、管理装置１１０は、空気清浄装置２０に設置されているガスセンサ４１（４０）からの情報だけを用いてガス漏れ情報又は燃焼情報を管理しているが、これに限られるものではなく、図２に仮想線で示すように、燃焼器具５０に設置されているセンサ５１（例えば燃焼状態を直接監視するＦＩＤ（Flame Ionization Detectorの略））からの情報を合わせて利用するようにしてもよい。
更に、本実施の形態では、ガスセンサ４１（４０）にてガス漏れ情報又は燃焼情報を検知する態様が採用されているが、これに限られるものではなく、例えば図５（ｂ）に示すように、空気清浄装置２０のガスセンサ４１（４０）の代わりに、空気流通路２２を通過するガス漏れ情報又は燃焼情報となるガスが捕集される捕集部材６０をエアダクト２１内に着脱自在に取り付けるようにしてもよい。
そして、管理センタ１００では、図２及び図５（ｂ）に示すように、空気清浄装置２０から捕集部材６０を取り外し、捕集物質分析装置１１１にて取り外した捕集部材６０に捕集された捕集物質（本例ではガス状物質）を分析するものである。
ここで、捕集部材６０としては、捕集すべきガスが除去可能なガス除去フィルタ６１（図５（ａ）参照）や、図５（ｂ）に示す捕集管６２が用いられる。そして、ガス除去フィルタ６１は取り外され、また、捕集管６２にて捕集されたガスはサンプラ６３にてサンプリング回収され、管理センタ１００に持ち込まれる。
そして、管理センタ１００の捕集物質分析装置１１１としては、ガスクロマトグラフ、ガスクロマトグラフ質量分析器、高速液クロマトグラフ、イオンクロマトグラフなどが採用され、捕集部材６０（ガス除去フィルタ６１又は捕集管６２）にて捕集されたガスが分析される。
更に、本実施の形態では、ガス会社１２１又は燃焼器具メーカ１２２が改善判別装置１３０にて改善の要否を判別しているが、これに限られるものではなく、管理センタ１００側で改善判別装置１３０による判別処理をも実施し、この判別結果をガス会社１２１又は燃焼器具メーカ１２２に伝達し、管理センタ１００からの提供情報に基づいてメンテナンス作業を行うようにしてもよい。尚、このことは以下の各実施の形態においても同様である。
【００２１】
◎実施の形態２
図６は本発明が適用された空気清浄監視システムの実施の形態２の全体構成を示す説明図である。
同図において、空気清浄監視システムは、人Ｍが居住する室内空間Ｒに設置される空気清浄装置２０と、この空気清浄装置２０からのシックハウス情報及び微生物粒子情報を管理する管理センタ１００とを備えている。尚、符号５２は室内空間Ｒを仕切る建材類、５３は室内空間Ｒ内に設置される家具類である。
本実施の形態において、空気清浄装置２０は、図６及び図７（ａ）に示すように、実施の形態１と略同様の構成要素を有するが、実施の形態１と異なり、空気流通路２２のうち粒子除去フィルタ２８の空気流通方向上流側にはシックハウスの要因となる因子物質（建材類５２や家具類５３から発生する揮発性有機化合物（ＶＯＣ：Volatile Organic Compounds））を検知するためのセンサ４０としての有害センサ４２及び粒子除去フィルタ２８の一部には微生物粒子を捕集するための微生物粒子フィルタ６４を着脱自在に設けたものである。
ここで、ＶＯＣとしては、ＨＣＨＯ（ホルムアルデヒド）を始め、トルエン、キシレンなどのものが挙げられる。また、微生物粒子としては例えばダニ、カビ、花粉などが挙げられる。
尚、実施の形態１と同様な構成要素については実施の形態１と同様な符号を付してここではその詳細な説明を省略する。
【００２２】
本実施の形態にあっては、有害センサ４２にて検知されたシックハウス情報は、図６及び図７（ａ）のＸに示すように、管理センタ１００の管理装置１１０に通信可能に取り込まれ、管理装置１１０は有害センサ４２にて取り込んだシックハウス情報を時系列にて記録管理し、室内空間Ｒ内の空気中にシックハウスの要因となる因子物質がどの程度含まれているかを監視する。
一方、微生物粒子フィルタ６４は、図６及び図７（ａ）のＹに示すように、空気清浄装置２０から取り外され、管理センタ１００に持ち込まれて捕集物質分析装置１１１にて分析される。
尚、微生物粒子などについての捕集物質分析装置１１１としては顕微鏡などによる分析も含まれる。
そして、管理センタ１００は、管理装置１１０で管理したシックハウス情報が予め決められた許容範囲内の上限に近いレベルにあると判断したときには、前記シックハウス情報を例えば住環境アドバイザ１２３に情報提供し、情報提供を受けた住環境アドバイザ１２３は、情報提供された前記シックハウス情報を改善判別装置１３０に取り込み、この改善判別装置１３０にて前記シックハウス情報に基づいて室内空間Ｒの空気清浄状態を改善することを要するか否かを判別し、改善を要すると判断した場合に監視対象となる室内空間Ｒの建材類５２や家具類５３についてＶＯＣの発生を抑制する処理（例えばＶＯＣ抑制処理剤による噴霧処理）を施す。
更に、管理センタ１００は、捕集物質分析装置１１１で分析した微生物粒子情報が予め決められた許容範囲内の上限に近いレベルにあると判断したときには、前記微生物粒子情報を例えば住環境アドバイザ１２３に情報提供し、情報提供を受けた住環境アドバイザ１２３は、情報提供された前記微生物粒子情報を改善判別装置１３０に取り込み、この改善判別装置１３０にて前記微生物粒子情報に基づいて室内空間Ｒの空気清浄状態を改善することを要するか否かを判別し、改善を要すると判断した場合に微生物粒子の種類や量、温湿度情報を基に、室内空間Ｒ内における適切な環境条件の構築を図ったり、微生物粒子の発生源について除去処理を施す。
このようにして、住宅改善、住まい方の改善、環境条件の制御などが行われる。
【００２３】
◎変形形態
本実施の形態では、有害センサ４２にてシックハウスの要因となる因子物質を検知する態様が採用されているが、これに限られるものではなく、例えば図７（ｂ）に示すように、空気清浄装置２０の有害センサ４２の代わりに、空気流通路２２を通過するＶＯＣが捕集される捕集部材６０をエアダクト２１内に着脱自在に取り付け、この捕集部材６０にて捕集したＶＯＣを捕集物質分析装置１１１にて分析するようにしてもよい。
ここで、捕集部材６０としては、例えば図８（ａ）に示すように、ＶＯＣのうちＨＣＨＯを捕集するＨＣＨＯ捕集管６５や、これ以外のＶＯＣを捕集する捕集管６６が用いられる。本例では、ＨＣＨＯ捕集管６５としては、ＤＮＰＨ（２，４−ジニトロフェニルヒドラジン）を捕集剤としたものが用いられ、また、他の捕集管６６としては炭素系捕集剤やＴｅｎａｘ  ＴＡが用いられる。
また、捕集物質分析装置１１１は、前記捕集管６５，６６にて捕集されたＶＯＣを、ポンプ７１，７２を介してフローメータ７３，７４及びガスメータ７５，７６に送り、定性、定量分析するものである。尚、捕集物質分析装置１１１としては公知の他の態様のものを適宜使用できることは勿論である。
尚、捕集部材６０の別の態様としては、例えば図８（ｂ）に示すように、例えばインピンジャーからなる捕集管６７を利用し、ポンプ７７を介してガスメータ７８に送り、定性分析するようにしてもよい。
【００２４】
◎実施の形態３
図９は本発明が適用された空気清浄監視システムの実施の形態３の全体構成を示す説明図である。
同図において、空気清浄監視システムは、実施の形態１と同様に、人Ｍが居住する室内空間Ｒに設置される空気清浄装置２０と、この空気清浄装置２０からのガス漏れ情報及び燃焼情報を管理する管理センタ１００とを備えている。尚、実施の形態１と同様な構成要素については実施の形態１と同様な符号を付してここではその詳細な説明を省略する。
特に、本実施の形態では、室内空間Ｒには換気装置８０が設けられており、管理センタ１００は、管理するガス漏れ情報又は燃焼情報をガス会社１２１又は燃焼器具メーカ１２２に情報提供し、情報提供を受けたガス会社１２１又は燃焼器具メーカ１２２は、情報提供されたガス漏れ情報又は燃焼情報（ガス濃度）を改善判別装置１３０に取り込み、この改善判別装置１３０にて前記ガス漏れ情報又は燃焼情報に基づいて室内空間Ｒの空気清浄状態を改善することを要するか否かを判別し、改善を要すると判断した場合に前記換気装置８０を強制的に作動させることにより強制換気処理を実施するようになっている。
このように、室内空間Ｒである物質、例えば酸素成分が不足すると、人Ｍの健康に悪い影響が及ぼされる。例えば室内空間Ｒの酸素濃度は通常２０．９％であるが、ガスセンサ４１（４０）が酸素濃度の低下を検出したと仮定すると、改善判別装置１３０が室内空間Ｒの空気清浄状態を改善することを要すると判別し、この判別結果に基づいて換気装置８０を作動させるように連動させれば、消費された分の酸素分子を補給することが可能である。これにより、燃焼器具５０の使用により生ずる室内空間Ｒの酸素濃度の低下現象が有効に防止される。
【００２５】
◎実施の形態４
図１０は本発明が適用された空気清浄監視システムの実施の形態４の全体構成を示す説明図である。
同図において、空気清浄監視システムは、実施の形態２と略同様に、人Ｍが居住する室内空間Ｒに設置される空気清浄装置２０と、この空気清浄装置２０からのシックハウス情報及び微生物粒子情報を管理する管理センタ１００とを備えている。尚、実施の形態２と同様な構成要素については実施の形態２と同様な符号を付してここではその詳細な説明を省略する。
一般に、人体にとって有害なシックハウス成分や微生物粒子に対してはこれを抑制する上で有効な微量物質が室内空間Ｒに適量存在することが好ましい。特に、シックハウス成分や微生物粒子に対してアレルギー体質の人Ｍにとっては生活空間として快適な環境を確保することが極めて重要である。
このような要請下において、空気清浄監視システムとしては、室内空間Ｒに微量物質拡散装置９０を配設しておき、管理センタ１００からのシックハウス情報又は微生物粒子情報を例えば住環境アドバイザ１２３に情報提供し、情報提供を受けた住環境アドバイザ１２３は、提供情報を改善判別装置１３０に取り込み、この改善判別装置１３０にて前記シックハウス情報又は微生物粒子情報に基づいて室内空間Ｒの空気清浄状態を改善することを要するか否かを判別し、改善を要すると判断した場合に前記微量物質拡散装置９０を強制的に作動させ、例えば室内空間Ｒの微量物質濃度が一定になるように濃度制御することにより、拡散した微量物質にてシックハウス成分や微生物粒子による悪い影響を抑えるようにすればよい。
【００２６】
◎実施の形態５
図１１は本発明が適用された空気清浄監視システムの実施の形態５の全体構成を示す説明図である。
同図において、空気清浄監視システムは、実施の形態２と略同様に、人Ｍが居住する室内空間Ｒに設置される空気清浄装置２０と、この空気清浄装置２０からのシックハウス情報及び微生物粒子情報を管理する管理センタ１００とを備えている。尚、実施の形態２と同様な構成要素については実施の形態２と同様な符号を付してここではその詳細な説明を省略する。
本実施の形態においては、空気清浄装置２０は、図１２に示すように、実施の形態２と異なり、清浄装置本体としてのエアダクト（図示せず）に対し清浄フィルタ１５０として粒子除去フィルタ１５１及びガス除去フィルタ１５２を着脱自在とし、汚れた清浄フィルタ１５０（粒子除去フィルタ１５１，ガス除去フィルタ１５２）を洗浄により再利用するものである。尚、センサ４０としての有害センサ４２は例えば各種シックハウス成分及び微生物粒子を検出可能としたものである。
本例では、空気清浄監視システムとしては、管理センタ１００からのシックハウス情報又は微生物粒子情報を例えば住環境アドバイザ１２３に情報提供し、情報提供を受けた住環境アドバイザ１２３は、提供情報を改善判別装置１３０に取り込み、この改善判別装置１３０にて前記シックハウス情報又は微生物粒子情報に基づいて室内空間Ｒの空気清浄状態を改善することを要するか否かを判別し、フィルタ回収者１４０に情報提供する。
このフィルタ回収者１４０は、住環境アドバイザ１２３からの情報提供により、洗浄すべき清浄フィルタ１５０がどのような物質（シックハウス成分や微生物粒子）を捕獲しているかを把握し、フィルタ洗浄装置１４１による清浄フィルタ１５０の再生法を事前に判別することができる。
例えば図１２に示すように、物質Ａ，Ｂ，Ｃのいずれかによって好ましい洗浄剤α〜γを選択し、物質Ｄ〜Ｉによって好ましい清掃法（加熱脱離法の温度条件、化学吸着剤の種類Ｉ，ＩＩ、添加量）を選択することが可能である。
このため、フィルタ回収者１４０は監視対象である空気清浄装置２０の清浄フィルタ１５０を回収した後に、直ちに清浄フィルタ１５０を所望の再生法にて洗浄することが可能である。
尚、本実施の形態では、フィルタ回収者１４０は住環境アドバイザ１２３から情報提供を受けているが、管理センタ１００から直接情報提供を受けてもよいし、管理センタ１００がフィルタ回収者１４０を兼任するようにしてもよいことは勿論である。
また、本実施の形態では、センサ４０としての有害センサ４２からの検出情報に基づいてシックハウス成分、微生物粒子を特定するようにしているが、これに限られるものではなく、実施の形態２のように、シックハウス成分については有害センサ４２を用い、微生物粒子については実施の形態２と同様な微生物粒子フィルタ６４を用いて特定するようにしてもよい。
【００２７】
◎実施の形態６
図１３は本発明が適用された空気清浄監視システムの実施の形態６の全体構成を示す説明図である。
同図において、空気清浄監視システムは、人Ｍが居住する室内空間Ｒに設置される空気清浄装置２０と、この空気清浄装置２０からの健康情報を管理する管理センタ１００とを備えている。
本実施の形態において、空気清浄装置２０は、実施の形態１，２と略同様な構成を有しているが、実施の形態１，２と異なり、空気流通路２２のうち粒子除去フィルタ２８の空気流通方向上流側には、エアＡに含まれる人Ｍの呼気や体臭等の臭気ガスが検知されるセンサ４０としての臭気センサ４３を有している。尚、実施の形態１，２と同様な構成要素については実施の形態１，２と同様な符号を付してここではその詳細な説明を省略する。
また、管理センタ１００は臭気センサ４３からの情報が取り込まれる管理装置１１０を有し、この管理装置１１０は臭気センサ４３からの検知情報を時系列にて記録管理し、予め決められた健康データと対比しながら、その人Ｍの健康状態を監視するものである。
そして、管理センタ１００は健康情報を例えば健康アドバイザ１２４に情報提供し、情報提供を受けた健康アドバイザ１２４は、情報提供された健康情報を改善判別装置１３０に取り込み、この改善判別装置１３０にて前記健康情報に基づいて室内空間Ｒの空気清浄状態を改善することを要するか否かを判別し、監視対象となる室内空間Ｒに居住する人Ｍに対して健康状態が不良であると判断するのであればその改善策をアドバイスする。
また、本実施の形態では、臭気センサ４３を用いた態様が示されているが、これに限られるものではなく、例えば図１３に示すように、活性炭やＴｅｎａｘ  ＴＡ等で構成される捕集管や、捕集機能を兼備したガス除去フィルタなどの捕集部材６０を利用し、人体から発生する臭気ガスを捕集し、管理センタ１００の捕集物質分析装置１１１にて捕集ガスを分析するようにしてもよい。
【００２８】
◎実施の形態７
図１４は本発明が適用された空気清浄監視システムの実施の形態７の全体構成を示す説明図である。
同図において、空気清浄監視システムは、人Ｍが居住する室内空間Ｒに設置される空気清浄装置２０と、この空気清浄装置２０からの健康情報を管理する管理センタ１００とを備えている。
本実施の形態において、空気清浄装置２０は、実施の形態１〜３の基本的要素を有するもので、センサ４０又は捕集部材６０として、ガス漏れ情報、燃焼情報、シックハウス情報、微生物粒子情報、健康情報を検知又は捕集することが可能になっている。
また、管理センタ１００は、管理装置１１０又は捕集物質分析装置１１１を有し、各種の情報を記録管理するか、又は分析することにより、各種情報を監視するようになっている。
そして、管理センタ１００は、各種情報についてガス会社１２１、燃焼器具メーカ１２２、住環境アドバイザ１２３、健康アドバイザ１２４に情報提供するものである。
尚、実施の形態１〜６と同様な構成要素については実施の形態１〜６と同様な符号を付してここではその詳細な説明を省略する。
更に、本実施の形態では、例えば室内空間Ｒに防犯カメラ５４や火災報知器５５を設け、これらの情報についても例えば通信にて管理センタ１００の管理装置１１０に取り込み、防犯情報、火災情報についても併せて監視し、これらの防犯情報、火災情報を警備会社・消防署１２５に情報提供するようにしてもよい。
【００２９】
◎実施の形態８
図１５（ａ）（ｂ）は実施の形態８で用いられる空気清浄装置の基本的構成を示す。
同図において、空気清浄装置２０は、実施の形態１〜７と略同様に構成されているが、実施の形態１〜７と異なり、清浄装置本体としてのエアダクト２１内に吸引ファン３０を有しておらず、エアダクト２１の出口側に別体の換気ユニット３１を配設し、この換気ユニット３１にてエアダクト２１の空気流通路２２内に空気Ａを引き込むようにしたものである。
尚、実施の形態１〜７と同様な構成要素については実施の形態１〜７と同様な符号を付してここではその詳細な説明を省略する。
本実施の形態においても、空気流通路２２内に設置されたセンサ４０（図１５（ａ）参照）又は捕集部材６０（図１５（ｂ）参照）にて人体に影響するガス状又は浮遊粒子状の因子物質、あるいは、人体から発生するガス状又は浮遊粒子状の因子物質を捕捉することができ、実施の形態１〜７と同様に、図示外の管理センタにて前記因子物質について監視することが可能である。
【符号の説明】
【００３０】
１…空気清浄装置，２…清浄装置本体，３…空気流通路，３ａ…入口，３ｂ…出口，４…吸引手段，５…清浄部材，６…捕捉部材，６ａ…センサ，６ｂ…捕集部材，１０…情報監視装置，１１…改善要否判別装置，１２…空気清浄改善装置，１５…燃焼器具，１６…建材類，１７…家具類，Ａ…空気，Ｒ…室内空間，Ｍ…人
【図１】
2010266077.tif 000003
【図２】
2010266077.tif 000004
【図３】
2010266077.tif 000005
【図４】
2010266077.tif 000006
【図５】
2010266077.tif 000007
【図６】
2010266077.tif 000008
【図７】
2010266077.tif 000009
【図８】
2010266077.tif 000010
【図９】
2010266077.tif 000011
【図１０】
2010266077.tif 000012
【図１１】
2010266077.tif 000013
【図１２】
2010266077.tif 000014
【図１３】
2010266077.tif 000015
【図１４】
2010266077.tif 000016
【図１５】
2010266077.tif 000017